(57)【要約】      （修正有）【課題】通しアングルを大型化することなく、地震の際に段付き取付金具と、通しアングルとが相対的に位置ズレしてボルトに作用するせん断応力を軽減する壁パネル取付装置を提供する。【解決手段】建造物の梁６に固定された断面Ｌ字状の通しアングル８に中空状の壁パネル１を段付き取付金具２０及び当て板３０で取り付け、段付き取付金具２０の下側鉛直部と当て板３０との重合部分をボルト５０で壁パネル１に締着して当て板３０の外側面を壁パネル１に当接配置し、段付き取付金具２０と通しアングル８との間にアングル圧接部を介在させて段付き取付金具２０の上側鉛直部と当て板３０との間に通しアングル８を挟着固定し、段付き取付金具２０の上側鉛直部と通しアングル８の内側コーナー部との間に隙間を設けた壁パネル取付装置。【選択図】図２
2014177785.tif 000002
【特許請求の範囲】
【請求項１】
建造物の梁に固定された断面Ｌ字状の通しアングルに、中空状の壁パネルを段付き取付金具及び当て板により取り付ける壁パネル取付装置であって、
前記段付き取付金具の一端側部分と前記当て板とを重ね合わせた重合部分をボルトで前記壁パネルに締着して前記当て板の外側面を前記壁パネルに当接配置し、
前記段付き取付金具の他端側部分と前記通しアングルとの間にスペーサーを介在させた状態で前記段付き取付金具の他端側部分と前記当て板との間に前記通しアングルを挟着固定し、
前記段付き取付金具の他端側端面と前記通しアングルの内側コーナー部との間に隙間を設けたことを特徴とする壁パネル取付装置。
【請求項２】
前記スペーサーは、前記段付き取付金具の前記通しアングルに対向する対向面を膨出して前記段付き取付金具に一体に凸設されたアングル圧接部であることを特徴とする請求項１に記載の壁パネル取付装置。
【請求項３】
前記アングル圧接部が、前記段付き取付金具の対向面に対して垂直視で矩形状に形成されていることを特徴とする請求項２に記載の壁パネル取付装置。
【発明の詳細な説明】
【技術分野】
【０００１】
本発明は、中空状の壁パネルの取付装置に関するものであって、特に、建造物の梁に固定された通しアングルに、中空状の壁パネルを段付き取付金具及び当て板により取り付ける壁パネル取付装置に関するものである。
【背景技術】
【０００２】
従来の壁パネル取付装置７０として、壁パネル６１に当接する当て板７１の外側に、段付き取付金具７２の一端側部分を重合させると共に、この重合部分をボルト７３と平ナット７４とで壁パネル６１に締結し、ボルト７３の締め付け力により、段付き取付金具７２の他端側部分で断面Ｌ字状の通しアングル６２の鉛直部６２ａを当て板６１側に押し付けて弾性的な圧接力、いわゆる「バネ作用」のみで、通しアングル６２と段付き取付金具７２とを相対的に位置ズレ可能に挟持固定するものが知られている（例えば、特許文献１参照）。
【先行技術文献】
【特許文献】
【０００３】
【特許文献１】特開２００７−１４６４０５号公報
【発明の概要】
【発明が解決しようとする課題】
【０００４】
しかしながら、特許文献１に記載の壁パネル取付装置６０は、図９に示すように、段付き取付金具７２の上端面７２ｓが通しアングル６２のＲ状に形成された内側隅部６２ｂに接触している場合には、通しアングル６２と段付き取付金具７２との相対的な位置ズレが妨げられるため、例えば、地震の際に、段付き取付金具７２と当て板７１とを締着するボルト７３に過度のせん断応力が作用して、ボルト７３が破断する虞があるという問題があった。
【０００５】
このような問題に対して、通しアングル６２の鉛直部６２ａを延伸して、段付き取付金具７２の上端面７２ｓと通しアングル６２の内側隅部６２ｂとを離隔することで、段付き取付金具７２と通しアングル６２との相対的な位置ズレを確保することも考えられるが、通しアングル６２の鉛直部６２ａの長さに比例して通しアングル６２が大型化するという問題があった。
【０００６】
そこで、通しアングルを大型化することなく、地震の際に段付き取付金具と通しアングルとが相対的に位置ズレしてボルトに作用するせん断応力を軽減するために解決すべき技術的課題が生じてくるのであり、本発明は、この課題を解決することを目的とする。
【課題を解決するための手段】
【０００７】
本発明は上記目的を達成するために提案されたものであり、請求項１記載の発明は、建造物の梁に固定された断面Ｌ字状の通しアングルに、中空状の壁パネルを段付き取付金具及び当て板により取り付ける壁パネル取付装置であって、段付き取付金具の一端側部分と当て板とを重ね合わせた重合部分をボルトで壁パネルに締着して当て板の外側面を壁パネルに当接配置し、段付き取付金具の他端側部分と通しアングルとの間にスペーサーを介在させた状態で段付き取付金具の他端側部分と当て板との間に通しアングルを挟着固定し、段付き取付金具の他端側端面と通しアングルの内側コーナー部との間に隙間を設けた壁パネル取付装置を提供する。
【０００８】
この構成によれば、スペーサーを設けた分だけ段付き取付金具の他端側部分が通しアングルから離隔して、段付き取付金具の他端側端面と通しアングルの内側コーナー部との間に隙間を確保することにより、地震等で段付き取付金具と通しアングルとが相対的に位置ズレするように外力が作用する場合であっても、段付き取付金具の他端側端面が通しアングルの内側コーナー部に接触することなく、段付き取付金具が段付き取付金具の他端側端面と通しアングルの内側コーナー部との間の隙間内で移動することができる。
【０００９】
請求項２記載の発明は、請求項１記載の発明の構成に加えて、スペーサーは、段付き取付金具の通しアングルに対向する対向面を膨出して段付き取付金具に一体に凸設されたアングル圧接部である壁パネル取付装置を提供する。
【００１０】
この構成によれば、スペーサーであるアングル圧接部を段付き取付金具に一体に設けることにより、段付き取付金具とスペーサ―とを夫々独立した別部材として組み付ける場合と比較して、段付き取付金具の組付効率を損なうことなく、段付き取付金具の他端側端面と通しアングルの内側コーナー部との間に隙間を設けることができる。
【００１１】
請求項３記載の発明は、請求項２記載の発明の構成に加えて、アングル圧接部が、段付き取付金具の対向面に対して垂直視で矩形状に形成されている壁パネル取付装置を提供する。
【００１２】
この構成によれば、矩形状のアングル圧接部の全面で通しアングルを当て板に向けて押圧するため、段付き取付金具と当て板とで通しアングルを確実に挟持することができる。
【発明の効果】
【００１３】
請求項１記載の発明は、地震等で段付き取付金具と通しアングルとが相対的に位置ズレするように外力が作用する場合であっても、段付き取付金具が通しアングルの内側コーナー部に接触することなく段付き取付金具の他端側端面と通しアングルの内側コーナー部との間の隙間内を移動して外力を逃がすため、段付き取付金具と通しアングルとの相対移動が制限されて、ボルトが過度のせん断応力により破断することを回避すると共に、通しアングルの各辺を延伸して段付き取付金具の相対移動を確保する必要がないため、通しアングルの小型化及び軽量化を実現することができる。
【００１４】
請求項２記載の発明は、請求項１記載の発明が奏する効果に加えて、段付き取付金具の組付効率を損なうことなく、段付き取付金具の他端側端面と通しアングルの内側コーナー部との間に隙間を設けることができる。
【００１５】
請求項３記載の発明は、請求項２記載の発明が奏する効果に加えて、アングル圧接部が通しアングルを当て板に向けて広範囲に亘って押圧するため、段付き取付金具と当て板とで通しアングルを確実に挟着することができる。
【図面の簡単な説明】
【００１６】
【図１】本発明の一実施例を示し、壁パネル用取付装置の使用状態を説明する斜視図。
【図２】図１の部分断面側面図。
【図３】図１の壁パネル用取付装置を説明する平面図。
【図４】壁パネル用取付装置のボルト締結状態を示す斜視図。
【図５】壁パネル用取付金具の組立図。
【図６】段付き取付金具を示し、（ａ）は段付き取付金具の正面図、（ｂ）は（ａ）の底面図、（ｃ）は（ａ）の側面図。
【図７】当て板を示し、（ａ）は当て板の正面図、（ｂ）は（ａ）の底面図、（ｃ）は（ａ）の側面図、（ｄ）は（ａ）の平面図。
【図８】壁パネル用取付金具の要部と一部拡大図。
【図９】従来の壁パネル用取付装置の段付き取付金具の端面と通しアングルの内側コーナー部との位置関係を示す説明図と一部拡大図。
【発明を実施するための形態】
【００１７】
本発明に係る壁パネル取付装置は、通しアングルを大型化することなく、地震等の際に段付き取付金具と通しアングルとが相対的に位置ズレしてボルトに作用する外力を軽減するという目的を達成するために、建造物の梁に固定された断面Ｌ字状の通しアングルに、中空状の壁パネルを段付き取付金具及び当て板により取り付け、段付き取付金具の一端側部分と当て板とを重ね合わせた重合部分をボルトで壁パネルに締着して当て板の外側面を壁パネルに当接配置し、段付き取付金具の他端側部分と通しアングルとの間にスペーサーを介在させた状態で段付き取付金具の他端側部分と当て板との間に通しアングルを挟着固定し、段付き取付金具の他端側端面と通しアングルの内側コーナー部との間に隙間を設けたことにより実現した。
【実施例】
【００１８】
以下、本発明の一実施例に係る壁パネル取付装置について、図面に基づいて説明する。
【００１９】
図１は、中空状の壁パネルとしての押出成型セメント板１に壁パネル取付装置１０を使用した状態を斜め下方から視た図である。押出成型セメント板１の内部には、複数の中空部が長手方向に形成されている。押出成型セメント板１は、左右方向に互いに隣接して複数枚配設されている。
【００２０】
また、図２に示すように、下段側の押出成型セメント板１は、上段側の押出成形セメント板２を、下地鋼材から成り水平方向、即ち、図２紙面垂直方向に延びる長尺の通しアングル３を介して載置している。押出成型セメント板１、２は、上下方向に互いに隣接して複数枚配設している。
【００２１】
このように、押出成型セメント板１、２を上下左右に隣接配置することにより、建造物の外壁における縦張りパネル構造を形成している。また、図２中の符号４は、シーリング材を示し、符号５は、耐火材を示す。
【００２２】
図３に示すように、下段側の押出成型セメント板１と上段側の押出成型セメント板２との間に介装される通しアングル３は、床スラブに固設したＨ形鋼製の梁６上にピースアングル７を介して連結固定されている。
【００２３】
また、下段側の押出成型セメント板１は、梁７の下面７ｓに固定された下段側の通しアングル８に壁パネル取付装置１０を介して連結されている。
【００２４】
下段側の通しアングル８は、断面略Ｌ字状に形成され、梁７の下面７ｓに固定される水平部８ａと、水平部８ａの一側端に垂設された鉛直部８ｂとを備えている。また、通しアングル８の水平部８ａと鉛直部８ｂとの直交部分には、緩やかなＲ状に形成された内側コーナー部８ｃが設けられている。
【００２５】
壁パネル用取付装置１０は、図４及び図５に示すように、通しアングル８の鉛直部８ｂの内面８ｂｓに当接する段付き取付金具２０と、段付き取付金具２０の一端側部分、即ち、後述する下側鉛直部２２に重ね合わせると共に下段側の通しアングル８の鉛直部８ｂの外面に当接する当て板３０と、押出成形セメント板１の中空部内に配置された板状の平ナット４０と、平ナット３０のねじ孔３０ａに螺合する締付け用のボルト５０とで構成されている。ボルト５０は、段付き取付金具２０と当て板３０との重合部分を押出成形セメント板１に締結固定している。
【００２６】
段付き取付金具２０は、図６に示すように、上下方向Ｌ１中央に斜面状段部２１を有しており、斜面状段部２１の下端側、上端側にそれぞれ下側鉛直部２２、上側鉛直部２３が連接されている。下側鉛直部２２には、上下方向Ｌ１に延びるボルト貫通用長孔２４が形成されている。
【００２７】
当て板３０は、図７に示すように、上下方向Ｌ２中央の左右両側に略Ｕ字状の切欠部３１、３１を夫々備えている。また、当て板３０の下側部分３２の中央には、上下方向Ｌ２に延びるボルト貫通用長孔３３が形成されている。
【００２８】
このように、段付き取付金具２０の下側鉛直部分２２と当て板３０の下側部分３２との重合部分を段付き取付金具２０のボルト貫通用長孔２４及び当て板３０のボルト貫通用長孔２４にボルト５０を通して締め付けることによって、段付き取付金具２０と当て板３０とを押出成型セメント板１に締結固定すると共に、ボルト５０の締付力によって段付き取付金具２０の上側鉛直部２３を介して弾性的な圧接力（バネ力）が通しアングル８に作用するため、通しアングル８を段付き取付金具２０と当て板３０との間に挟着固定するようになっている。
【００２９】
また、段付き取付金具２０の左右方向Ｗ１の両側には、図６に示すように、突起２５、２５が夫々形成されている。
また、当て板３０の下側部分３２における左右方向Ｗ２の両側には突起３４、３４が夫々設けられている。当て板３０の突起３４、３４の内側には、図７に示すように、段付き取付金具２０の突起２５、２５が装着されるようになっている。
【００３０】
当て板３０の切欠部３１、３１の上側縁部には、図７に示すように、突片３５、３５が設けられている。突片３５、３５は、段付き取付金具２０側に直角に折曲して形成されている。
突片３５、３５に段付き取付金具２０側の斜面状段部２１が当たることで、当て板３０の回転が規制され、さらに、突起３４、３４が段付き取付金具２０の両側を挟むように嵌合することにより、段付き取付金具２０全体の動きが規制するようになっている。
【００３１】
段付き取付金具２０の貫通用長孔２４の下側近傍には、図６に示すように、円形の突部２６が突設されている。
また、突部２６と対応する当て板３０の左右方向Ｗ１中央付近には、図７（ａ）に示すように、嵌合孔３６が開穿されている。この嵌合孔３６は、突部２６に対応する円弧形状を呈しており、嵌合孔３６に突部２６を嵌め込むだけで、当て板３０に対して段付き取付金具２０を容易に位置決めすることができる。
【００３２】
当て板３０の上側部分の左右方向Ｗ２中央付近には、図７に示すように、上下方向Ｌ２に延伸した膨出部３７が設けられている。膨出部３７の横断面形状は円弧状に湾曲して形成され、膨出部３７の円弧状突端部分には、通しアングル８の鉛直部８ｂの外面が線接触、即ち、横断面視では点接触するようになっている。
【００３３】
段付き取付金具２０の上側鉛直部２３には、図６に示すように、段付き取付金具２０の内面、即ち、段付き取付金具２０の通しアングル８の鉛直部８ｂの内面に対向する対向面２３ｓから所定の厚みだけ膨出したスペーサーとしてのアングル圧接部２７が設けられている。
【００３４】
段付き取付金具２０と通しアングル８とは、アングル圧接部２７の厚みの分だけ離隔されており、段付き取付金具２０の他端側端面２０ｓと通しアングル８の内側コーナー部８ｃとの間には、隙間Ｒが確保されている。
【００３５】
これにより、図８に示すように、地震等で段付き取付金具２０と通しアングル８とが相対的に上下方向に位置ズレするように外力が作用する場合であっても、段付き取付金具２０が隙間Ｒ内で図中矢印のように上向きに移動可能なため、通しアングル８と段付き取付金具２０との相対移動が制限されてボルト４０に過度のせん断応力が作用することに起因するボルト４０の破断を回避できると共に、通しアングル８と段付き取付金具２０との相対移動を確保するために通しアングル８の各辺、即ち、水平部９ａと鉛直部９ｂとを延伸する必要がないため、通しアングル８の小型化及び軽量化を実現することができる。
【００３６】
また、アングル圧接部２７は、段付き取付金具２０の対向面２３ｓを膨出して段付き取付金具２０に一体に凸設されている。
【００３７】
これにより、段付き取付金具とスペーサ―とを夫々独立した別部材として組み付ける場合と比較して、段付き取付金具２０の組付効率を損なうことなく、段付き取付金具２０の他端側端面ｓと通しアングル８の内側コーナー部８ｃとの間に隙間Ｒを確保することができる。
【００３８】
アングル圧接部２７は、段付き取付金具２０の対向面２３ｓに対して垂直視で矩形状に形成されている。
【００３９】
これにより、矩形状のアングル圧接部２７の全面で広範囲に亘って通しアングル８の鉛直部８ｂを当て板３０の膨出部３６に向けて押圧するため、段付き取付金具２０と当て板３０とで通しアングル８を確実に挟着することができる。
【００４０】
尚、本発明は、本発明の精神を逸脱しない限り種々の改変を為すことができ、そして、本発明が改変されたものに及ぶことは当然である。例えば、上記実施例とは異なり、段付き取付金具とスペーサ―とを夫々独立した別部材として設けても構わない。
【００４１】
本発明は、スペーサ―の形態や構造は特に限定されず、要は、段付き取付金具の他端面と通しアングルの内側コーナー部との間に隙間を確保して、段付き取付金具が通しアングルに対して相対的に移動可能であれば、全て本発明の技術的範囲に含まれる。また、上述した実施例では、縦張りパネル構造を形成するものに適用したが、横張りパネル構造を形成するものにも適用することができる。
【符号の説明】
【００４２】
１  ・・・  （下段側の）壁パネル取付端面
２  ・・・  （上段側の）壁パネル取付端面
３  ・・・  （上段側の）通しアングル
４  ・・・  シーリング材
５  ・・・  耐火材
６  ・・・  梁
７  ・・・  ピースアングル
８  ・・・  （下段側の）通しアングル
８ａ・・・  水平部
８ｂ・・・  鉛直部
８ｃ・・・  内側コーナー部
１０  ・・・  壁パネル取付装置
２０  ・・・  段付き取付金具
２０ｓ・・・  他端側端面
２１  ・・・  斜面状段部
２２  ・・・  下側鉛直部
２３  ・・・  上側鉛直部
２４  ・・・  ボルト貫通用長孔
２５  ・・・  突起
２６  ・・・  突部
２７  ・・・  アングル圧接部
３０  ・・・  当て板
３１  ・・・  切欠部
３２  ・・・  下側部分
３３  ・・・  ボルト貫通用長孔
３４  ・・・  突起
３５  ・・・  突片
３６  ・・・  嵌合孔
３７  ・・・  膨出部
４０  ・・・  平ナット
５０  ・・・  ボルト
Ｒ  ・・・  段付き取付金具の他端側端面と通しアングルの内側コーナー部との間の隙間
【図１】
2014177785.tif 000003
【図２】
2014177785.tif 000004
【図３】
2014177785.tif 000005
【図４】
2014177785.tif 000006
【図５】
2014177785.tif 000007
【図６】
2014177785.tif 000008
【図７】
2014177785.tif 000009
【図８】
2014177785.tif 000010
【図９】
2014177785.tif 000011